(57)【要約】【課題】上下の蝶番部材を分離可能にし、テンプルの智に対する移動を可能にした眼鏡の蝶番構造を提供する。【解決手段】テンプル１に設けられた長孔８に智２の内蝶番部材４を挿入し、長孔８の長手方向における任意の位置に内蝶番部材４を位置決めする。この状態で外蝶番部材６の長溝９にテンプル１の側部を嵌入しながら、内蝶番部材４の上下面に外蝶番部材６をそれぞれ接合する。そして、外蝶番部材６のいずれか一方から他方へ蝶番回転軸用螺子１２を螺入していき、両外蝶番部材６により内蝶番部材４の上下面を挟んで、外蝶番部材６と内蝶番部材４とを接合面が摺動可能であるように蝶番回転軸用螺子１２により保持する。その後、内蝶番部材４の雌螺子部１０にストッパー螺子１１を螺着する。【選択図】図１
2013037328.tif 000002
【特許請求の範囲】
【請求項１】
眼鏡フレームを構成するテンプルと智を回動可能に連結する眼鏡の蝶番構造であって、
前記智の端部に中央に貫通孔が形成された内蝶番部材を設け、
前記テンプルに前記内蝶番部材が長手方向に挿入される長孔を設け、
前記内蝶番部材の上下面に、該内蝶番部材の前記貫通孔に対応した位置に螺子孔が形成された一対の外蝶番部材をそれぞれ接合し、該外蝶番部材には前記接合の際に前記テンプルに嵌着される長溝が形成され、
前記外蝶番部材のいずれか一方から他方へ蝶番回転軸用螺子を螺入して、前記一対の外蝶番部材により前記内蝶番部材の上下面を挟んで、蝶番回転軸用螺子により前記外蝶番部材と前記内蝶番部材とを接合面が摺動可能であるように保持し、
前記内蝶番部材に前記テンプルの回動を規制するストッパー部を設けたことを特徴とする眼鏡の蝶番構造。
【請求項２】
前記ストッパー部が前記内蝶番部材に螺着される螺子部材であることを特徴とする請求項１記載の眼鏡の蝶番構造。
【請求項３】
前記ストッパー部が、前記内蝶番部材に突設されるピン部材と、前記外蝶番部材に形成されて前記ピン部材を受ける案内溝とで構成されることを特徴とする請求項１記載の眼鏡の蝶番構造。
【請求項４】
前記ストッパー部の設置個所が複数設けられていることを特徴とする請求項１〜３いずれか１項記載の眼鏡の蝶番構造。
【発明の詳細な説明】
【技術分野】
【０００１】  本発明は、眼鏡の蝶番構造に係り、特に、蝶番をテンプルの長手方向に対して任意に移動できるようにした蝶番構造に関するものである。
【背景技術】
【０００２】  従来、眼鏡の蝶番は、特許文献１に記載されているように、一方の蝶番部材が智の端部に固定され、他方の蝶番部材がテンプルの端部に固定され、かつ両蝶番部材の接合面が摺動可能であるように、軸螺子により両蝶番部材を連結する構成のものが一般的なものである。
【先行技術文献】
【特許文献】
【０００３】
【特許文献１】特開２０１１−１７９８６号公報
【発明の概要】
【発明が解決しようとする課題】
【０００４】  従来の一般的な眼鏡の蝶番構造では、テンプルと智に固定される上下の蝶番部材が一体で加工されている。このため、テンプルに対して蝶番の設置位置が固定されてしまい、蝶番固定後においてはテンプルの長さ調整、特に長手方向における寸法変更などは不可能であった。【０００５】  そこで本発明は、前記従来の課題を解決し、上下の蝶番部材を分離可能にし、テンプルの智に対する移動を可能にした眼鏡の蝶番構造を提供することを目的とする。
【課題を解決するための手段】
【０００６】  前記の目的を達成するために、本発明の眼鏡の蝶番構造は、眼鏡フレームを構成するテンプルと智を回動可能に連結する眼鏡の蝶番構造であって、前記智の端部に中央に貫通孔が形成された内蝶番部材を設け、前記テンプルに前記内蝶番部材が長手方向に挿入される長孔を設け、前記内蝶番部材の上下面に、該内蝶番部材の前記貫通孔に対応した位置に螺子孔が形成された一対の外蝶番部材をそれぞれ接合し、該外蝶番部材には前記接合の際に前記テンプルに嵌着される長溝が形成され、前記外蝶番部材のいずれか一方から他方へ蝶番回転軸用螺子を螺入して、前記一対の外蝶番部材により前記内蝶番部材の上下面を挟んで、蝶番回転軸用螺子により前記外蝶番部材と前記内蝶番部材とを接合面が摺動可能であるように保持し、前記内蝶番部材に前記テンプルの回動を規制するストッパー部を設けたことを特徴とする。【０００７】  また、本発明の眼鏡の蝶番構造は、前記ストッパー部が前記内蝶番部材に螺着される螺子部材であることを特徴とする。【０００８】  また、本発明の眼鏡の蝶番構造は、前記ストッパー部が、前記内蝶番部材に突設されるピン部材と、前記外蝶番部材に形成されて前記ピン部材を受ける案内溝とで構成されることを特徴とする。【０００９】  また、本発明の眼鏡の蝶番構造は、前記ストッパー部の設置個所が複数設けられていることを特徴とする。
【発明の効果】
【００１０】  本発明の眼鏡の蝶番構造によれば、蝶番回転軸用螺子により内蝶番部材と外蝶番部材とを接合する前まで、あるいは螺着後でも蝶番回転軸用螺子を外して内蝶番部材から外蝶番部材を取り外すことにより、テンプルが内蝶番部材の長孔に対して長手方向に自由に移動することができる。【００１１】  このため、眼鏡フレーム、特にテンプルの設計上の自由度が高まり、製造上において有利になる。さらに、一般小売店において眼鏡装着者に対して適正なテンプルの長さに調整することが、簡単かつ容易に行えるようになる。
【図面の簡単な説明】
【００１２】
【図１】本発明の実施形態１を説明するための眼鏡の蝶番構造の分解斜視図である。
【図２】組立後の実施形態１の蝶番部分を示す斜視図である。
【図３】テンプルを９０度回転させたときの実施形態１の蝶番部分を示す斜視図である。
【図４】実施形態１の他の使用形態を説明するための斜視図である。
【図５】本発明の実施形態２を説明するための眼鏡の蝶番構造の分解斜視図である。
【発明を実施するための形態】
【００１３】  以下に本発明の実施形態を図面にて説明する。
【００１４】  図１〜図４に示す本発明の実施形態１において、１は眼鏡フレームを構成するテンプル、２はフロントフレームに連結する智、３は蝶番構造であって、蝶番構造３によってテンプル１と智２とが回動可能に連結している。
【００１５】  さらに図において、４は、智２の端部に一体的に形成され、かつ中央に貫通孔５が形成されている内蝶番部材、６は上下一対の外蝶番部材であって、該外蝶番部材６の中央には内蝶番部材４の貫通孔５に対応した位置に螺子孔７が形成され、各外蝶番部材６が内蝶番部材４の上下面にそれぞれ接合するように設置される。
【００１６】  ８はテンプル１に設けられた長孔であって、該長孔８の長手方向における任意の位置に智２の内蝶番部材４が挿入されるようになっている。９は各外蝶番部材６の内面側に形成された長溝（図では下方の外蝶番部材６の上面における長溝９のみを示す）であって、該長溝９にテンプル１の側部が嵌着されるようになっている。
【００１７】  １０は、智２の内蝶番部材４の近傍に設けられた雌螺子部であって、該雌螺子部１０にストッパー部となるストッパー螺子１１が螺着される。本例では雌螺子部１０は、内蝶番部材４近傍の対向する位置に一対設けられている。１２は蝶番回転軸用螺子である。
【００１８】  前記構成部材からなる本蝶番構造の組立について説明する。
【００１９】  まず、テンプル１に設けられた長孔８に智２の内蝶番部材４を挿入し、長孔８の長手方向における任意の位置に内蝶番部材４を位置決めする。この状態で外蝶番部材６の長溝９にテンプル１の側部を嵌入しながら、内蝶番部材４の上下面に外蝶番部材６をそれぞれ接合する。
【００２０】  そして、外蝶番部材６のいずれか一方から他方へ蝶番回転軸用螺子１２を螺入していき、両外蝶番部材６により内蝶番部材４の上下面を挟んで、外蝶番部材６と内蝶番部材４とを接合面が摺動可能であるように蝶番回転軸用螺子１２により保持する。最後に、内蝶番部材４の雌螺子部１０にストッパー螺子１１を螺着して組立が完了する。
【００２１】  図１〜図３に示す螺子構造は、眼鏡フレームの右側のテンプル，智部分に設置された状態を示すものであって、図３に示すように、通常の眼鏡フレームのようにテンプル１を内側に回転させて折り畳むようにすることができる。そして、図２に示すように、テンプル１を外側に開くときには、テンプル１とストッパー螺子１１とが当接してテンプル１の開き過ぎを規制している。
【００２２】  なお、図１〜図３に示す螺子構造は、テンプル１の内側に螺子構造３を配設した例であるが、図４に示すように、テンプル１の外側に螺子構造３を配設することもできる。図４では眼鏡フレームの左側におけるテンプル１，智２の部分に螺子構造３を設置した状態を示しており、この場合、ストッパー螺子１１を他の雌螺子部１０に螺着して、テンプル１の開き過ぎを規制している。
【００２３】  また、蝶番構造３の組立後において、蝶番回転軸用螺子１２を外すことによって、内蝶番部材４と外蝶番部材６とが分離されて、テンプル１と智２と螺子構造３とがそれぞれ自由になる。このため、テンプル１を智２および蝶番構造３に対して長手方向に移動させることもできることになる。
【００２４】  よって、テンプル１と智２と蝶番構造３との関連構成の自由度が高まる。このことは、設計上および製造上において有利になるとともに、一般小売店において眼鏡装着者に対して適正なテンプルの長さに調整することが、簡単かつ容易に行えるようになるため、眼鏡フレームの製造販売において有効な蝶番構造であるといえる。
【００２５】  図５は本発明の実施形態２を説明するための眼鏡の蝶番構造である。本実施形態２では、ストッパー部の構成以外は実施形態１と同じ構成になっており、よって、以下の説明において、実施形態１にて説明した部材と同一部材には同一符号を付して詳しい説明は省略する。
【００２６】  実施形態２では、内蝶番部材４の上下面に突設されるピン部材２０（図では内蝶番部材４の上面におけるピン部材２０のみを示す）と、各外蝶番部材６の内面側に円弧状に形成され、かつピン部材２０を受ける案内溝２１（図では下方の外蝶番部材６の上面における案内溝２１のみを示す）とからストッパー部を構成しており、案内溝２１の閉鎖端部がピン部材２０に当接することにより、外蝶番部材６に嵌合しているテンプル１の開き過ぎを規制するようにしている。
【００２７】  実施形態２において、ストッパー部のピン部材２０は、内蝶番部材４の内面側に穿設したピン受け孔２２に嵌合することで突設されている。本例では、ピン受け孔２２は内蝶番部材４の貫通孔５を中心として対称位置に一対が形成されている。
【００２８】  なお、図５に示す実施形態２は、眼鏡フレームの右側におけるテンプル１，智２の部分に螺子構造３を設置した状態を示しているが、実施形態２の螺子構造３を眼鏡フレームの左側におけるテンプル１，智２の部分に設置する場合には、一対の外蝶番部材６を図５に示す設置構造とは上下逆にして、蝶番回転軸用螺子１２を下側から螺入する必要がある。
【００２９】  また、図面に基づいて説明した前記実施形態の部材の寸法，形状などは、仕様によって適宜変更しなくてはならないものがあり、本発明の構成としては、それらの実使用時に応じて変更した構成も含まれる。
【産業上の利用可能性】
【００３０】  本発明は、金属製および合成樹脂製の眼鏡フレームにおける蝶番として有効であり、智や蝶番に対してテンプルを容易に移動できる構造の蝶番として、眼鏡フレームにおいて多種多様に開発設計およびデザイン展開を図る上で有利である。
【符号の説明】
【００３１】１  テンプル
２  智
３  蝶番構造
４  内蝶番部材
５  貫通孔
６  外蝶番部材
７  螺子孔
８  長孔
９  長溝
１０  雌螺子部
１１  ストッパー螺子
１２  蝶番回転軸用螺子
２０  ピン部材
２１  案内溝
２２  ピン受け孔
【図１】
2013037328.tif 000003
【図２】
2013037328.tif 000004
【図３】
2013037328.tif 000005
【図４】
2013037328.tif 000006
【図５】
2013037328.tif 000007